【手続補正書】
【提出日】令和2年1月22日(2020.1.22)
【手続補正１】
【補正対象書類名】特許請求の範囲
【補正対象項目名】全文
【補正方法】変更
【補正の内容】
【特許請求の範囲】
【請求項１】
画像処理装置であって、
画像データとして、画素ごとの画素値及び画素の属性を入力する入力手段と、
前記入力手段によって入力される画像データのうちの１つの画素を順に注目画素として処理する画像処理手段であって、少なくとも前記注目画素、該注目画素に対して一方向に隣接する参照画素、及び該一方向とは反対方向において前記注目画素と隣接する反対画素の属性に基づいて、該注目画素に対して画像処理を実行するか否かを選択する画像処理手段と
を備えることを特徴とする画像処理装置。
【請求項２】
前記画像処理手段は、
前記注目画素、前記参照画素、及び前記反対画素の属性を判定する属性判定手段と、
前記注目画素の画素値及び属性を補正する補正手段と、
画素ごとに、前記注目画素が補正される対象となる第１属性であり、かつ、前記参照画素が補正される対象でない第２属性であり、かつ、前記参照画素と前記反対画素が異なる属性であれば、前記注目画素の画像データとして前記補正手段によって補正された画像データを選択し、そうでない場合は前記注目画素の画像データとして前記入力手段によって入力された画像データを選択する選択手段と
を備えることを特徴とする請求項１に記載の画像処理装置。
【請求項３】
前記画像処理手段は、
前記注目画素、前記参照画素、及び前記反対画素の属性を判定する属性判定手段と、
画素ごとに、前記注目画素が補正される対象となる第１属性であり、かつ、前記参照画素が補正される対象でない第２属性であり、かつ、前記参照画素と前記反対画素が異なる属性であれば、前記注目画素の画素値及び属性を補正し、そうでない場合は前記注目画素の画素値及び属性を補正しない補正手段と
を備えることを特徴とする請求項１に記載の画像処理装置。
【請求項４】
前記補正手段は、前記注目画素の画素値及び属性を、前記参照画素の画素値及び属性に置換することにより画像データを補正することを特徴とする請求項２又は３に記載の画像処理装置。
【請求項５】
前記第１属性及び前記第２属性に属する画素の属性をユーザ入力に従って設定する設定手段をさらに備えることを特徴とする請求項２乃至４の何れか１項に記載の画像処理装置。
【請求項６】
前記設定手段は、さらに、前記画像処理手段による補正方向として縦方向又は横方向をユーザ入力に従って設定し、
前記画像処理手段は、前記設定手段によって設定された補正方向に従って、注目画素に対する参照画素及び反対画素の位置を特定することを特徴とする請求項５に記載の画像処理装置。
【請求項７】
前記設定手段は、さらに、前記画像処理手段による補正処理において、１つの注目画素に対する前記画像処理の画素範囲を設定し、
前記画像処理手段は、
前記設定手段によって設定された前記画素範囲に従って、参照画素及び反対画素の画素範囲を特定することを特徴とする請求項６に記載の画像処理装置。
【請求項８】
前記画像処理手段は、
前記設定手段によって設定された前記画像処理の画素範囲が２画素であれば、１つの注目画素について補正方向における２方向から参照画素及び反対画素を特定し、
前記２方向とは、前記補正方向が縦方向であれば上方向及び下方向であり、前記補正方向が横方向であれば左方向及び右方向であることを特徴とする請求項７に記載の画像処理装置。
【請求項９】
前記画像処理手段は、前記設定手段によって設定された前記画素範囲に基づき、前記補正方向によって反対画素の画素範囲を異ならしめるように特定することを特徴とする請求項８に記載の画像処理装置。
【請求項１０】
前記第１属性には、グラフィック属性、イメージ属性、及び背景属性の少なくとも１つが含まれ、
前記第２属性には、文字属性及び線属性の少なくとも１つが含まれることを特徴とする請求項２乃至９の何れか１項に記載の画像処理装置。
【請求項１１】
前記画像処理手段は、さらに、
前記選択手段によって選択された画像データに対してガンマ補正処理を実行するガンマ補正手段を備え、
前記ガンマ補正手段では、画素ごとの属性に応じたガンマテーブルが適用されることを特徴とする請求項２に記載の画像処理装置。
【請求項１２】
前記画像処理手段は、さらに、
前記ガンマ補正手段によってガンマ補正処理が実行された画像データに対して、スクリーン処理を実行するスクリーン処理手段を備え、
前記スクリーン処理手段では、画素ごとの属性に応じた線数のスクリーンが適用されることを特徴とする請求項１１に記載の画像処理装置。
【請求項１３】
前記スクリーン処理手段では、前記第１属性の画素に対しては第１線数のスクリーンが適用され、前記第２属性の画素に対しては該第１線数よりも線数の高い第２線数のスクリーンが適用されることを特徴とする請求項１２に記載の画像処理装置。
【請求項１４】
前記画像データは、ページ記述言語（ＰＤＬ）で生成されており、
前記ＰＤＬのコマンドの種別に応じて属性が判定されることを特徴とする請求項２乃至１３の何れか１項に記載の画像処理装置。
【請求項１５】
前記画像処理は、前記第１属性の画素を太らせる処理であることを特徴とする請求項２乃至１４の何れか１項に記載の画像処理装置。
【請求項１６】
画像処理装置の制御方法であって、
入力手段が、画像データとして、画素ごとの画素値及び画素の属性を入力する入力工程と、
画像処理手段が、前記入力工程で入力される画像データのうちの１つの画素を順に注目画素として処理する画像処理工程であって、少なくとも前記注目画素、該注目画素に対して一方向に隣接する参照画素、及び該一方向とは反対方向において前記注目画素と隣接する反対画素の属性に基づいて、該注目画素に対して画像処理を実行するか否かを選択する前記画像処理工程と
を実行することを特徴とする画像処理装置の制御方法。
【請求項１７】
画像処理装置の制御方法における各工程をコンピュータに実行させるためのプログラムであって、前記制御方法は、
入力手段が、画像データとして、画素ごとの画素値及び画素の属性を入力する入力工程と、
画像処理手段が、前記入力工程で入力される画像データのうちの１つの画素を順に注目画素として処理する画像処理工程であって、少なくとも前記注目画素、該注目画素に対して一方向に隣接する参照画素、及び該一方向とは反対方向において前記注目画素と隣接する反対画素の属性に基づいて、該注目画素に対して画像処理を実行するか否かを選択する前記画像処理工程と
を実行することを特徴とするプログラム。
【請求項１８】
画像処理ユニットであって、
画素ごとに画素値及び属性を含む入力画像データのうちの１つの画素を順に注目画素とし、少なくとも前記注目画素、該注目画素に対して一方向に隣接する参照画素、及び、該一方向とは反対方向において前記注目画素と隣接する反対画素の属性を判定する属性判定手段と、
前記注目画素の画素値及び属性を補正する補正手段と、
画素ごとに、前記注目画素が補正される対象となる第１属性であり、かつ、前記参照画素が補正される対象でない第２属性であり、かつ、前記参照画素と前記反対画素が異なる属性であれば、前記注目画素の画像データとして前記補正手段によって補正された画像データを選択し、そうでない場合は前記注目画素の画像データとして前記入力画像データを選択する選択手段と
を備えることを特徴とする画像処理ユニット。
【請求項１９】
画像処理ユニットであって、
画素ごとに画素値及び属性を含む入力画像データのうちの１つの画素を順に注目画素とし、少なくとも前記注目画素、該注目画素に対して一方向に隣接する参照画素、及び、該一方向とは反対方向において前記注目画素と隣接する反対画素の属性を判定する属性判定手段と、
画素ごとに、前記注目画素が補正される対象となる第１属性であり、かつ、前記参照画素が補正される対象でない第２属性であり、かつ、前記参照画素と前記反対画素が異なる属性であれば、前記注目画素の画素値及び属性を補正し、そうでない場合は前記注目画素の画素値及び属性を補正しない補正手段と
を備えることを特徴とする画像処理ユニット。
【請求項２０】
画像処理装置であって、
画像データを取得する取得手段と、
第２属性に関連付けられた参照画素の濃度に基づいて、前記第２属性と異なる第１属性に関連付けられた注目画素の濃度を補正する補正処理を、第１の反対画素の属性と第２の反対画素の属性とに基づいて実行する補正手段を備え、
前記参照画素は前記注目画素の一方側で該注目画素に隣接し、前記第１の反対画素及び前記第２の反対画素は前記注目画素の前記一方側とは反対側に存在し、前記第１の反対画素は前記注目画素に隣接し、前記第２の反対画素は前記第１の反対画素に隣接し、
前記第１の反対画素と前記第２の反対画素との少なくとも１つが前記第２属性に関連付けられる場合、前記注目画素の前記濃度は前記参照画素の前記濃度に基づいて補正されないことを特徴とする画像処理装置。
【請求項２１】
前記第２属性は文字属性であることを特徴とする請求項２０に記載の画像処理装置。
【請求項２２】
前記補正手段は、前記第１の反対画素と前記第２の反対画素との少なくとも１つが前記第２属性に関連付けられると判定すると、前記注目画素の前記濃度を前記参照画素の前記濃度に基づいて補正しないことを特徴とする請求項２０に記載の画像処理装置。
【手続補正２】
【補正対象書類名】明細書
【補正対象項目名】０００６
【補正方法】変更
【補正の内容】
【０００６】
本発明は、画像処理装置であって、画像データとして、画素ごとの画素値及び画素の属性を入力する入力手段と、前記入力手段によって入力される画像データのうちの１つの画素を順に注目画素として処理する画像処理手段であって、少なくとも前記注目画素、該注目画素に対して一方向に隣接する参照画素、及び該一方向とは反対方向において前記注目画素と隣接する反対画素の属性に基づいて、該注目画素に対して画像処理を実行するか否かを選択する画像処理手段とを備えることを特徴とする。また、画像処理装置であって、画像データを取得する取得手段と、第２属性に関連付けられた参照画素の濃度に基づいて、前記第２属性と異なる第１属性に関連付けられた注目画素の濃度を補正する補正処理を、第１の反対画素の属性と第２の反対画素の属性とに基づいて実行する補正手段を備え、前記参照画素は前記注目画素の一方側で該注目画素に隣接し、前記第１の反対画素及び前記第２の反対画素は前記注目画素の前記一方側とは反対側に存在し、前記第１の反対画素は前記注目画素に隣接し、前記第２の反対画素は前記第１の反対画素に隣接し、前記第１の反対画素と前記第２の反対画素との少なくとも１つが前記第２属性に関連付けられる場合、前記注目画素の前記濃度は前記参照画素の前記濃度に基づいて補正されないことを特徴とする。